(57)【要約】【課題】耐振性が向上し、端子間の接触信頼性が向上するコネクタを提供する。【解決手段】コネクタ搭載部に固定され、オス端子を保持する第１ハウジング１２を有するオスコネクタ部１０と、メス端子を保持する内部ハウジング３０と内部ハウジング３０を収容した外装ハウジング４０とを有するメスコネクタ部２０とを備え、メスコネクタ部２０をオスコネクタ部１０に対しコネクタ嵌合方向Ｇに移動すると、第１ハウジング１２と内部ハウジング３０間の嵌合完了位置で第１ロック部１８とロックアーム３４が係止し、その後、外装ハウジング４０が内部ハウジング３０に対して外装嵌合位置まで移動するコネクタ１であって、内部ハウジング３０と外装ハウジング４０には、外装嵌合位置で内部ハウジング３０をオスハウジング１２との嵌合方向に付勢する押し当て手段５０が設けられた。【選択図】図１４
2015185520.tif 000002
【特許請求の範囲】
【請求項１】
コネクタ搭載部に固定され、第１端子を保持する第１ハウジングを有する第１コネクタ部と、第２端子を保持する内部ハウジングと前記内部ハウジングを収容し、前記内部ハウジングに移動可能である外装ハウジングとを有する第２コネクタ部とを備え、
前記第１ハウジングには、第１ロック部が設けられ、前記内部ハウジングには、前記第１ロック部に係止可能な第２ロック部が設けられ、前記外装ハウジングには、前記第２ロック部が前記第１ロック部に係止されるまで前記内部ハウジングに対する移動を阻止し、前記第２ロック部が前記第１ロック部に係止されると前記内部ハウジングとの移動を許容する外装ロック部が設けられ、前記第２コネクタ部が前記第１コネクタ部に対しコネクタ嵌合方向に移動されると、前記第１ハウジングと前記内部ハウジング間の嵌合完了位置で前記第１ロック部と前記第２ロック部が係止し、その後、前記外装ハウジングが前記内部ハウジングに対して外装嵌合位置まで移動するコネクタであって、
前記内部ハウジングと前記外装ハウジングには、外装嵌合位置で前記内部ハウジングを前記第１ハウジングとの嵌合方向に付勢する押し当て手段が設けられたことを特徴とするコネクタ。
【請求項２】
請求項１記載のコネクタであって、
前記外装ロック部は、前記第１ロック部及び前記第２ロック部を乗り越える方向に弾性変位可能に形成され、
前記第１ロック部は、前記外装ロック部の乗り越え可能な形状に形成され、
前記第２ロック部は、前記第１ロック部に係止されない状態では前記外装ロック部の乗り越えを阻止する形状に形成され、前記第１ロック部に係止された状態では前記外装ロック部の乗り越え可能な形状に形成され、
コネクタ嵌合過程では、前記第２ロック部が前記第１ロック部に係止されるまでは前記外装ロック部が前記第２ロック部の乗り越えができずに前記内部ハウジングに対する移動が阻止され、前記第２ロック部が前記第１ロック部に係止されると、前記外装ロック部が前記第１ロック部と前記第２ロック部を乗り越えて前記外装ハウジングが前記内部ハウジングに対して移動可能となることを特徴とするコネクタ。
【請求項３】
請求項１又は請求項２記載のコネクタであって、
前記押し当て手段は、前記内部ハウジングに設けられ、コネクタ嵌合方向に対し傾斜するテーパ部と、前記外装ハウジングに設けられ、外装嵌合位置で前記テーパ部を押圧する押圧部であることを特徴とするコネクタ。
【請求項４】
請求項１〜請求項３のいずれかに記載のコネクタであって、
前記第１ハウジングのハウジング嵌合室の側壁には、前記内部ハウジングの側面を押圧する複数のガタ詰めリブが設けられたことを特徴とするコネクタ。
【発明の詳細な説明】
【技術分野】
【０００１】
本発明は、一方のコネクタ部のハウジングを２部材より構成するコネクタに関する。
【背景技術】
【０００２】
この種の従来のコネクタとして、特許文献１に開示されたものがある。このコネクタ１００は、図１６〜図１７に示すように、ステー部材１３０内に配置された第１コネクタ部１０１と、収容部材１３１内に配置された第２コネクタ部１１０とを備えている。
【０００３】
第１コネクタ部１０１は、第１端子１０２とこの第１端子１０２を保持する第１ハウジング１０３とを有する。第１ハウジング１０３の外周には、第１ロック部１０４が設けられている。第１ロック部１０４の中間には溝部１０６が形成されている。
【０００４】
第２コネクタ部１１０は、第２端子１１１とこの第２端子１１１を保持する内部ハウジング１１２とこの内部ハウジング１１２の外周に配置され、内部ハウジング１１２に対し移動可能な外装ハウジング１１３とを有する。内部ハウジング１１２には、弾性変形可能なロックアーム１１４が設けられている。ロックアーム１１４の先端側には、係止部１１４ａが設けられている。係止部１１４ａは、ロックアーム１１４の弾性変形によって外側に変位できる。外装ハウジング１１３には、外装ロック部１１５が設けられている。外装ロック部１１５は、弾性変形によって外側に変位できるよう形成されている。
【０００５】
図１６（ａ）に示すように、第１コネクタ部１０１をコネクタ嵌合方向Ｉに移動すると、第１ロック部１０４の先端が内部ハウジング１１２のロックアーム１１４の係止部１１４ａに干渉する。この位置より更に第１コネクタ部１０１をコネクタ嵌合方向Ｉに移動すると、図１６（ｂ）に示すように、ロックアーム１１４と外装ロック部１１５が弾性変形によって外側に変位し、第１コネクタ部１０１のコネクタ嵌合方向Ｉへの移動が許容される。ロックアーム１１４の係止部１１４ａが第１ロック部１０４の溝部１０６の位置まで移動すると、図１７（ａ）に示すように、ロックアーム１１４の係止部１１４ａが弾性復帰変形によって溝部１０５に入り込む。これで、第１ハウジング１０３と内部ハウジング１１２が嵌合完了位置となり、第１端子１０２と第２端子１１１間が適正な接触状態となる。
【０００６】
ロックアーム１１４の係止部１１４ａが溝部１０６に入り込むことにより、ロックアーム１１４の係止部１１４ａと外装ロック部１１５の係止が解除され、外装ハウジング１１３が内部ハウジング１１２に対し移動が可能となる。この位置より第１コネクタ部１０１がコネクタ嵌合方向Ｉに移動すると、第１ハウジング１０３と共に内部ハウジング１１２が移動し、ロックアーム１１４の係止部１１４ａが外装ロック部１１５を乗り越える。図７（ｂ）に示すように、第１ハウジング１０３と内部ハウジング１１２の移動が進み、外装ロック部１１５は、ステー１３０の係止溝１０７に入り込み、外装ハウジング１１３が外装嵌合位置となる。これで、コネクタ嵌合動作が完了する。
【０００７】
この従来例では、外装ハウジング１１３の外装嵌合位置では、外装ハウジング１１３によってロックアーム１１４の弾性変形が阻止されるため、第１コネクタ部１０１の第１ロック部１０４と第２コネクタ部１１０のロックアーム１１４とのロック解除を確実に防止できる。
【０００８】
また、第２コネクタ部１１０のハウジングが内部ハウジング１１２とこれと別体の外装ハウジング１１３の２部材で構成されているため、第１コネクタ部１０１をコネクタ搭載部に固定するような構造とすることにより、耐振性が良いコネクタ構造にできる。つまり、第２コネクタ部１１０のハウジングを１部材で構成する場合に較べて第１コネクタ部１０１に嵌合される第２コネクタ部側の質量が小さくなり、外部振動による振動を抑制できるためである。
【先行技術文献】
【特許文献】
【０００９】
【特許文献１】特開２００８−５２９７５号公報
【発明の概要】
【発明が解決しようとする課題】
【００１０】
しかしながら、前記従来例のコネクタ１００では、第１ハウジング１０３と内部ハウジング１１２との間は、第１ロック部１０４とロックアーム１１４の係止によってのみロックされている。従って、第１端子１０２を保持する第１ハウジング１０３と第２端子１１１を保持する内部ハウジング１１２間の嵌合力が弱いため、第１ハウジング１０３の振動に基づく内部ハウジング１１２の振動を有効に抑制できない。第１ハウジング１０３と内部ハウジング１１２が別個独立に振動すると第１端子１０２と第２端子１１１間が摺動し、接触信頼性が劣る。特に、コネクタ１００が振動を受けやすい箇所に搭載される場合には、端子間の接触信頼性が問題となる。
【００１１】
そこで、本発明は、前記した課題を解決すべくなされたものであり、耐振性が向上し、端子間の接触信頼性が向上するコネクタを提供することを目的とする。
【課題を解決するための手段】
【００１２】
本発明は、コネクタ搭載部に固定され、第１端子を保持する第１ハウジングを有する第１コネクタ部と、第２端子を保持する内部ハウジングと前記内部ハウジングを収容し、前記内部ハウジングに移動可能である外装ハウジングとを有する第２コネクタ部とを備え、前記第１ハウジングには、第１ロック部が設けられ、前記内部ハウジングには、前記第１ロック部に係止可能な第２ロック部が設けられ、前記外装ハウジングには、前記第２ロック部が前記第１ロック部に係止されるまで前記内部ハウジングに対する移動を阻止し、前記第２ロック部が前記第１ロック部に係止されると前記内部ハウジングとの移動を許容する外装ロック部が設けられ、前記第２コネクタ部が前記第１コネクタ部に対しコネクタ嵌合方向に移動されると、前記第１ハウジングと前記内部ハウジング間の嵌合完了位置で前記第１ロック部と前記第２ロック部が係止し、その後、前記外装ハウジングが前記内部ハウジングに対して外装嵌合位置まで移動するコネクタであって、前記内部ハウジングと前記外装ハウジングには、外装嵌合位置で前記内部ハウジングを前記第１ハウジングとの嵌合方向に付勢する押し当て手段が設けられたことを特徴とするコネクタである。
【００１３】
前記外装ロック部は、前記第１ロック部及び前記第２ロック部を乗り越える方向に弾性変位可能に形成され、前記第１ロック部は、前記外装ロック部の乗り越え可能な形状に形成され、前記第２ロック部は、前記第１ロック部に係止されない状態では前記外装ロック部の乗り越えを阻止する形状に形成され、前記第１ロック部に係止された状態では前記外装ロック部の乗り越え可能な形状に形成され、コネクタ嵌合過程では、前記第２ロック部が前記第１ロック部に係止されるまでは前記外装ロック部が前記第２ロック部の乗り越えができずに前記内部ハウジングに対する移動が阻止され、前記第２ロック部が前記第１ロック部に係止されると、前記外装ロック部が前記第１ロック部と前記第２ロック部を乗り越えて前記外装ハウジングが前記内部ハウジングに対して移動可能となるものを含む。
【００１４】
前記押し当て手段は、前記内部ハウジングに設けられ、コネクタ嵌合方向に対し傾斜するテーパ部と、前記外装ハウジングに設けられ、外装嵌合位置で前記テーパ部を押圧する押圧部であるものを含む。
【００１５】
前記第１ハウジングのハウジング嵌合室の側壁には、前記内部ハウジングの側面を押圧する複数のガタ詰めリブが設けることが好ましい。
【発明の効果】
【００１６】
本発明によれば、押し当て手段によって第１ハウジングと内部ハウジングの嵌合力が向上するため、第１ハウジングと内部ハウジングが一体となって振動し、各ハウジングが別個独立に振動することによる第１端子と第２端子間の摺動を防止でき、端子間の接触信頼性が良い。
【図面の簡単な説明】
【００１７】
【図１】本発明の一実施形態を示し、コネクタの分解斜視図である。
【図２】本発明の一実施形態を示し、（ａ）はオスコネクタ部の斜視図、（ｂ）はオスコネクタ部の要部断面図である。
【図３】本発明の一実施形態を示し、（ａ）はオスコネクタ部の断面図、（ｂ）は内部ハウジングが嵌合されたオスコネクタ部の断面図である。
【図４】本発明の一実施形態を示し、（ａ）は内部ハウジングの側面図、（ｂ）は（ａ）のＡ−Ａ線断面図である。
【図５】本発明の一実施形態を示し、（ａ）は外装ハウジングの正面図、（ｂ）は外装ハウジングの側面図である。
【図６】本発明の一実施形態を示し、（ａ）は図５（ａ）のＢ−Ｂ線要部断面図、（ｂ）は図５（ｂ）のＣ−Ｃ線要部断面図である。
【図７】本発明の一実施形態を示し、外装ハウジングと内部ハウジングと第１ハウジングの各要部概略斜視図である。
【図８】本発明の一実施形態を示し、（ａ）は外装ハウジングと内部ハウジングと第１ハウジングの要部断面図、（ｂ）は外装ハウジングと内部ハウジングと第１ハウジングの（ａ）と異なる位置の要部断面図である。
【図９】本発明の一実施形態を示し、第２コネクタ部を第１コネクタ部に嵌合する前の斜視図である。
【図１０】本発明の一実施形態を示し、第２コネクタ部を第１コネクタ部に嵌合完了した状態の断面図である。
【図１１】本発明の一実施形態を示し、（ａ）、（ｂ）、（ｃ）はそれぞれ嵌合動作の同じ過程で、（ａ）は図１０のＤ−Ｄ線に沿う断面図、（ｂ）は図１０のＥ−Ｅ線に沿う断面図、（ｃ）は各ハウジング間を位置関係を示す外面図である。
【図１２】本発明の一実施形態を示し、（ａ）、（ｂ）、（ｃ）はそれぞれ嵌合動作の同じ過程で、（ａ）は図１０のＤ−Ｄ線に沿う断面図、（ｂ）は図１０のＥ−Ｅ線線に沿う断面図、（ｃ）は各ハウジング間を位置関係を示す外面図である。
【図１３】本発明の一実施形態を示し、（ａ）、（ｂ）、（ｃ）はそれぞれ嵌合動作の同じ過程で、（ａ）は図１０のＤ−Ｄ線に沿う断面図、（ｂ）は図１０のＥ−Ｅ線線に沿う断面図、（ｃ）は各ハウジング間を位置関係を示す外面図である。
【図１４】本発明の一実施形態を示し、（ａ）、（ｂ）、（ｃ）はそれぞれ嵌合動作の同じ過程で、（ａ）は図１０のＤ−Ｄ線に沿う断面図、（ｂ）は図１０のＥ−Ｅ線線に沿う断面図、（ｃ）は各ハウジング間を位置関係を示す外面図である。
【図１５】本発明の一実施形態を示し、解除治具で外装ロック部を解除する過程を示す断面図である。
【図１６】従来例を示し、（ａ）、（ｂ）はそれぞれ嵌合動作過程を示す図である。
【図１７】従来例を示し、（ａ）、（ｂ）はそれぞれ嵌合動作過程を示す図である。
【発明を実施するための形態】
【００１８】
以下、本発明の一実施形態を図面に基づいて説明する。
【００１９】
図１〜図１５は本発明の一実施形態を示す。先ず、コネクタ１が搭載されるコネクタ搭載部を説明する。コネクタ搭載部は、図９及び図１０に示すように、シリンダヘッド２とこのシリンダヘッド２の外面を覆うように配置されたシリンダヘッドカバー３である。シリンダヘッド２には、コネクタ装着孔４が設けられている。コネクタ装着孔４の内周には、雌ネジが形成されている。コネクタ装着孔４に第１コネクタ部であるオスコネクタ部１０が固定される。シリンダヘッドカバー３には、各コネクタ装着孔４の上方位置に筒部５が設けられている。この各筒部５内がコネクタ挿入孔６とされている。このコネクタ挿入孔６に第２コネクタ部であるメスコネクタ部２０が挿入され、挿入されたメスコネクタ部２０がオスコネクタ部１０に装着される。
【００２０】
図１に示すように、コネクタ１は、第１コネクタ部であるオスコネクタ部１０と第２コネクタ部であるメスコネクタ部２０とから構成されている。オスコネクタ部１０は、図１、図２及び図３に示すように、第１端子である複数のオス端子１１と、このオス端子１１を保持する第１ハウジング１２とを備えている。第１ハウジング１２の下部側には、固定ナット部１４と雄ネジ部１５が設けられている。オスコネクタ部１０は、雄ネジ部１５をシリンダヘッド２のコネクタ装着孔４に螺入することでシリンダヘッド２に固定されている。つまり、オスコネクタ部１０は、シリンダヘッドカバー３のコネクタ挿入孔６の奥位置に固定されている。
【００２１】
第１ハウジング１２は、図７、図８等に示すように、上部側が筒形状であり、内部にハウジング嵌合室１６が形成されている。このハウジング嵌合室１６内にオス端子１１が配置されている。ハウジング嵌合室１６の側壁には、ガタ詰めリブ１７（図３（ａ）、（ｂ）に示す）が３箇所に設けられている。３箇所のガタ詰めリブ１７は、等間隔の位置に設けられている。
【００２２】
第１ハウジング１２の外周の左右対称位置には、第１ロック部１８が設けられている。第１ロック部１８は、突起形状であり、コネクタ嵌合方向Ｇの上流側の面がテーパ面１８ａに、下流側の面が垂直に近い面、つまり、係止面１８ｂに形成されている。ここで、コネクタ嵌合方向Ｇとは、メスコネクタ部２０をオスコネクタ部１０に嵌合する方向をいう。
【００２３】
メスコネクタ部２０は、図１に示すように、第２端子である複数のメス端子２１を保持する内部ハウジング３０とこの内部ハウジング３０を内部に収容する外装ハウジング４０とを備えている。内部ハウジング３０は、図４に示すように、端子保持筒部３１とこの端子保持筒部３１の外周を被う外筒部３２を有する。コネクタ嵌合完了位置では、端子保持筒部３１がハウジング嵌合室１６に嵌合される（図３（ｂ）参照）。
【００２４】
外筒部３２の左右対称位置には、スリット３３が形成されていると共に、このスリット３３の領域に第２ロック部であるロックアーム３４が設けられている。ロックアーム３４は、外筒部３２に各基端が支持された一対の撓みアーム部３５と、この一対の撓みアーム部３５の先端を連結するロックビーク部３６とから形成されている。ロックビーク部３６は、コネクタ嵌合方向Ｇの上流側の面及び下流側の面が共にほぼ垂直に近い面、つまり、係止面３６ａ，３６ｂに形成され、その間の面が乗り越え可能な乗り越え面３６ｃに形成されている。各撓みアーム部３５の先端箇所には、コネクタ嵌合方向Ｇに対して外側に傾斜するテーパ部３７が設けられている。テーパ部３７は、下記するように押し当て手段５０の一部を構成する。
【００２５】
スリット３３の一方のロックアーム３４の外側スリット領域は、外装ハウジング４０の下記する抜け止め突起４８が進入する位置であり、このスリット位置の上端縁がストッパ端面３８として形成されている。
【００２６】
外装ハウジング４０は、図１、図５〜図８に示すように、円筒形状である。外装ハウジング４０の下方部の左右対称位置には、縦方向に細長く伸びる一対の第１スリット４１とその近くに同じく縦方向に細長く伸びる第２スリット４２がそれぞれ形成されている。一対の第１スリット４１の間に第１撓みアーム部４３が形成されている。第１撓みアーム部４３の内面に外装ロック部４４が設けられている。外装ロック部４４は、第１撓みアーム部４３の撓み変形によって外側に変位可能である。外装ロック部４４は、コネクタ嵌合方向Ｇの上流側の面がテーパ面４４ａに、下流側の面がほぼ垂直の係止面４４ｂに形成されている（図８参照）。外装ロック部４４の上方に解除用突部４５が連続して設けられている。解除用突部４５は、解除治具６１が挿入される側の面がテーパ面４５ａに形成されている。
【００２７】
一対の第１スリット４１の上端縁部が押圧部４６として形成されている。押圧部４６は、外装嵌合位置でメスコネクタ部２０のテーパ部３７を押圧する。メスコネクタ部２０のテーパ部３７と外装ハウジング４０の押圧部４６によって、押し当て手段５０（図８（ｂ）に示す）が構成されている。
【００２８】
一方の第１スリット４１と第２スリット４２の間に第２撓みアーム部４７が形成されている。第２撓みアーム部４７の内面に抜け止め突起４８が設けられている。抜け止め突起４８は、第２撓みアーム部４７の撓み変形によって外側に変位可能である。
【００２９】
次に、メスコネクタ部２０の組み付けを説明する。図１に示すように、外装ハウジング４０内に内部ハウジング３０を下方から挿入する。すると、外装ハウジング４０の抜け止め突起４８が内部ハウジング３０の上面縁端に干渉し、この位置より更に内部ハウジング３０を内部に挿入する。すると、外装ハウジング４０の第２撓みアーム部４７が外側に弾性変形して内部ハウジング３０の挿入が許容され、抜け止め突起４８が内部ハウジング３０のスリット３３に進入する。これで、完了する。図７及び図８に示すように、内部ハウジング３０の離脱（脱落）方向の移動は、内部ハウジング３０のストッパ端面３８に外装ハウジング４０の抜け止め突起４８が突き当たることで規制される。内部ハウジング３０の更に奥方向への移動は、内部ハウジング３０のロックビーク部３６が外装ハウジング４０の外装ロック部４４に突き当たることで規制される。図１１に示す位置関係が内部ハウジング３０と外装ハウジング４０の初期位置である。
【００３０】
次に、メスコネクタ部２０のオスコネクタ部１０への嵌合作業を説明する。図９に示すように、メスコネクタ部２０をシリンダヘッドカバー３のコネクタ挿入孔６に挿入し、挿入されたメスコネクタ部２０が図１０に示すようにオスコネクタ部１０に嵌合される。このコネクタ嵌合動作を詳細に説明する。
【００３１】
先ず、メスコネクタ部２０の内部ハウジング３０のロックビーク部３６にオスコネクタ部１０の第１ロック部１８が当接し、内部ハウジング３０が外装ハウジング４０の奥に移動する。これにより、図１１に示すように、ロックビーク部３６が外装ハウジング４０の外装ロック部４４に当接し、内部ハウジング３０の奥方向への移動が阻止される。この状態よりメスコネクタ部２０をコネクタ嵌合方向Ｇに押圧すると、図１２に示すように、内部ハウジング３０のロックアーム３４が外側に撓み変形し、更に外装ハウジング４０の第１撓みアーム部４３が外側に撓み変形してメスコネクタ部２０の挿入が許容される。これにより、ロックビーク部３６及び外装ロック部４４がオスコネクタ部１０の第１ロック部１８を乗り越え、ロックビーク部３６が第１ロック部１８を完全に乗り越えると、ロックアーム３４が撓み復帰変形し、ロックビーク部３６がオスコネクタ部１０の第１ロック部１８に係止される。これで、第１ハウジング１２と内部ハウジング３０が嵌合完了位置となり、オス端子１１とメス端子２１間が適正な接触状態となる。
【００３２】
又、外装ハウジング４０の外装ロック部４４は、内部ハウジング３０のロックビーク部３６を乗り越え可能となる。この状態より、外装ハウジング４０を更にコネクタ嵌合方向Ｇに押圧すると、図１３に示すように、外装ハウジング４０のみが移動し、外装ハウジング４０の外装ロック部４４が内部ハウジング３０のロックビーク部３６を完全に乗り越えると、図１４に示すように、外装ロック部４４が撓み復帰変形し、外装ロック部４４が第１ハウジング１２の第１ロック部１８に係止される。これで、外装ハウジング４０が外装嵌合位置となる。
【００３３】
嵌合完了位置から外装装着位置までの移動過程では、外装ハウジング４０の押圧部４６が内部ハウジング３０のテーパ部３７を摺動し、押圧する。押圧部４６からの押圧力Ｆは、テーパ部３７に作用するため、その分力が第１ハウジング１２と内部ハウジング３０の嵌合力として作用し、嵌合力がアップする。ここで、テーパ部３７は、ロックアーム３４の撓みアーム部３５の先端部に設けられているが、ロックビーク部３６の内面側が第１ハウジング１２の外周面に当接しているため、押圧力Ｆは有効に内部ハウジング３０に作用する。
【００３４】
最後に、外装ハウジング４０をシリンダヘッドカバー３に固定すれば、完了する。
【００３５】
次に、嵌合されたメスコネクタ部２０をオスコネクタ部１０から離脱させる離脱作業について説明する。図１５に示すように、外装ハウジング４０内に上方から離脱治具５１を挿入し、外装ロック部４４の解除用突部４５を押圧する。すると、第１撓みアーム部４３が外側に撓み変形し、外装ロック部４４が係止解除位置に変位する。この状態を保持して外装ハウジング４０を引き抜く。すると、外装ハウジング４０のみ引き抜き方向Ｈに移動し、外装ロック部４４がロックビーク部３６及び第１ロック部１８を乗り越えた位置まで移動し、抜け止め突起４８が内部ハウジング３０のストッパ端面３８に当接する。この位置より更に外装ハウジング４０を引き抜くと、内部ハウジング３０が共に引き抜かれる。これにより、内部ハウジング３０と第１ハウジング１２間が徐々に離脱され、最後は完全に双方が離脱される。これにより、オスコネクタ部１０とメスコネクタ部２０の離脱が完了する。メスコネクタ部２０の外装ハウジング４０と内部ハウジング３０の位置関係は、初期位置に戻される（図１１参照）。
【００３６】
以上説明したように、オス端子１１を保持する第１ハウジング１２を有するオスコネクタ部１０と、メス端子２１を保持する内部ハウジング３０と内部ハウジング３０の内部に収容し、内部ハウジング３０の軸方向に移動可能である外装ハウジング４０とを有するメスコネクタ部２０とを備え、第１ハウジング１２には、第１ロック部１８が設けられ、内部ハウジング３０には、第１ロック部１８に係止可能なロックアーム３４のロックビーク部３６が設けられ、外装ハウジング４０には、ロックアーム３４のロックビーク部３６が第１ロック部１８に係止されるまで内部ハウジング３０に対する移動を阻止し、ロックアーム３４のロックビーク部３６が第１ロック部１８に係止されると内部ハウジング３０との移動を許容する外装ロック部４４が設けられ、メスコネクタ部２０がオスコネクタ部１０に対しコネクタ嵌合方向Ｇに移動されると、第１ハウジング１２と内部ハウジング３０間の嵌合完了位置で第１ロック部１８とロックアーム３４のロックビーク部３６が係止し、その後、外装ハウジング４０が内部ハウジング３０に対して外装嵌合位置まで移動するコネクタ１であって、内部ハウジング３０と外装ハウジング４０には、外装嵌合位置で内部ハウジング３０を第１ハウジング１２との嵌合方向に付勢する押し当て手段５０が設けられている。
【００３７】
従って、メスコネクタ部２０が第１ハウジング１２に嵌合される内部ハウジング３０とこれと別体の外装ハウジング４０の２部材で構成されているため、メスコネクタ部２０が１部材で構成される場合に較べてオスコネクタ部１０に嵌合されるメスコネクタ部２０側の質量が小さくなり、耐振性が良い。つまり、搭載部からの振動によってオスコネクタ部１０が振動すると、このオスコネクタ部１０の振動によって振動するのはメスコネクタ部２０の全体ではなく内部ハウジング３０のみであるため、メスコネクタ部２０が１部材で構成される場合に較べて耐振性が良い。このように耐振性が良い構造である上に、押し当て手段５０によって第１ハウジング１２と内部ハウジング３０の嵌合力が強化されるため、第１ハウジング１２と内部ハウジング３０が一体となって振動し、個々に振動するのを有効に抑制できる。各ハウジング１２，３０が別個独立に振動することによる第１端子１１と第２端子２１間の摺動を防止できるため、端子間の接触信頼性が良い。
【００３８】
この実施形態では、外装ハウジング４０は、搭載部のシリンダヘッドカバー３に固定されているが、オスコネクタ部１０に固定しても良い。つまり、外装ハウジング４０は、メスコネクタ部２０以外に固定する。
【００３９】
外装ハウジング４０の嵌合完了位置では、外装ハウジング４０の解除用突部４５によってロックビーク部３６の外側への変位が阻止されるため、オスコネクタ部１０の第１ロック部１８とメスコネクタ部２０のロックアーム３４のロックビーク部３６とのロック解除を確実に防止できる。
【００４０】
外装ロック部４４は、第１ロック部１８及びロックアーム３４のロックビーク部３６を乗り越える方向に弾性変位可能に形成され、第１ロック部１８は、外装ロック部４４の乗り越え可能な形状に形成され、ロックアーム３４のロックビーク部３６は、第１ロック部１８に係止されない状態では外装ロック部４４の乗り越えを阻止する形状に形成され、第１ロック部１８に係止された状態では外装ロック部４４の乗り越え可能な形状に形成され、コネクタ嵌合過程では、ロックアーム３４のロックビーク部３６が第１ロック部１８に係止されるまでは外装ロック部４４がロックアーム３４のロックビーク部３６の乗り越えができずに内部ハウジング３０に対する移動が阻止され、ロックアーム３４のロックビーク部３６が第１ロック部１８に係止されると、外装ロック部４４が第１ロック部１８とロックアーム３４のロックビーク部３６を乗り越えて内部ハウジング３０に対して移動する。従って、コネクタ嵌合時には、外装ハウジング４０を把持してコネクタ嵌合方向Ｇに移動すると、内部ハウジング３０が第１ハウジング１２に嵌合する嵌合完了位置まで移動し、この移動に連続して外装ハウジング４０が内部ハウジング３０の外装嵌合位置まで移動し、オスコネクタ部１０とメスコネクタ部２０との嵌合作業が１アクションで可能であり、嵌合作業性が良い。又、オスコネクタ部１０とメスコネクタ部２０の離脱作業も１アクションで可能であり、離脱作業性が良い。
【００４１】
押し当て手段５０は、内部ハウジング３０に設けられ、コネクタ嵌合方向Ｇに対し外側に突出するテーパ部３７と、外装ハウジング４０に設けられ、外装ハウジング４０の外装嵌合位置でテーパ部３７を押圧する押圧部４６とから構成されている。従って、第１ハウジング１２と内部ハウジング３０の嵌合力を簡単な構成で強化できる。押し当て手段５０は、内部ハウジング３０側に押圧部を設け、外装ハウジング４０側にテーパ部を設けて構成しても良い。又、押し当て手段５０は、内部ハウジング３０側と外装ハウジング４０側の双方にテーパ部を設けて構成しても良い。
【００４２】
第１ハウジング１２のハウジング嵌合室１６の側壁には、内部ハウジング３０の側面を押圧する複数のガタ詰めリブ１７が設けられている。従って、コネクタ嵌合方向Ｇの直交方向のガタを無くすことができるため、耐振性が向上し、端子間の接触信頼性が向上する。
【００４３】
外装ハウジング４０には、離脱用突部４５が設けられている。従って、離脱治具５１で外装ロック部４４を押圧することなく外装ロック部４４を係止解除位置に移動できるため、離脱治具５１による外装ロック部４４へのダメージ（損傷）を防止できる。又、離脱用突部４５は、外装ロック部４４に連続して設けられているので、外装ロック部４４を係止解除位置に移動するのに小さな外力で可能である。更に、離脱治具５１が挿入される側の離脱用突部４５の面はテーパ面４５ａに形成されているため、離脱治具５１の挿入方向の移動によって外装ロック部４４を係止解除方向に変移でき、作業性が良い。
【符号の説明】
【００４４】
１  コネクタ
１０  オスコネクタ部（第１コネクタ部）
１１  オス端子（第１端子）
１２  第１ハウジング
１６  ハウジング嵌合室
１７  ガタ詰めリブ
１８  第１ロック部
２０  メスコネクタ部（第２コネクタ部）
２１  メス端子（第２端子）
３０  内部ハウジング
３４  ロックアーム（第２ロック部）
３７  テーパ部
４０  外装ハウジング
４４  外装ロック部
４６  押圧部
５０  押し当て手段
【図１】
2015185520.tif 000003
【図２】
2015185520.tif 000004
【図３】
2015185520.tif 000005
【図４】
2015185520.tif 000006
【図５】
2015185520.tif 000007
【図６】
2015185520.tif 000008
【図７】
2015185520.tif 000009
【図８】
2015185520.tif 000010
【図９】
2015185520.tif 000011
【図１０】
2015185520.tif 000012
【図１１】
2015185520.tif 000013
【図１２】
2015185520.tif 000014
【図１３】
2015185520.tif 000015
【図１４】
2015185520.tif 000016
【図１５】
2015185520.tif 000017
【図１６】
2015185520.tif 000018
【図１７】
2015185520.tif 000019